(57)【要約】  通信アセンブリ（１０）は、シャーシ（１２）と、シャーシ内に取り付けられた複数の光ファイバスプリッタモジュール（１４）と、を含んでいる。それぞれのスプリッタモジュールは、少なくとも１つの光ファイバコネクタ（１１８）を含んでいる。シャーシの内部空間内には、少なくとも１つの光ファイバアダプタ（１６）が配置されている。取り付け位置においてシャーシの前面開口部を通じてスプリッタモジュールを挿入することにより、シャーシのアダプタ内への挿入及びこれとのメーティングのためにスプリッタモジュールのコネクタが位置決めされる。シャーシの内部空間内に取り付けられたアダプタは、着脱自在のアダプタアセンブリの一部として一体形成されている。通信シャーシ内において光ファイバスプリッタモジュールを取り付ける方法も開示されている。【選択図】図１
2009527004.tif 000002
【特許請求の範囲】
【請求項１】
上面、下面、前面開口部、背面開口部、前記前面及び背面開口部の間に延長する第１及び第２側面を含むシャーシであって、複数の取り付け位置を定義しているシャーシと、
前記取り付け位置の中の１つのものにおいて前記前面開口部を通じて前記シャーシ内に摺動自在に受け入れられるべく構成されたモジュールであって、前記前面開口部を通じて前記シャーシから着脱自在であるモジュールと、
少なくとも１つのアダプタを定義しているアダプタアセンブリであって、前記取り付け位置の中の少なくとも１つのものにおいて前記背面開口部を通じて前記シャーシ内に摺動自在に受け入れられるべく構成されており、前記背面開口部を通じて前記シャーシから着脱自在であるアダプタアセンブリと、
を有しており、
前記モジュールは、前記モジュールが前記シャーシ内に挿入された際に、前記アダプタアセンブリの前記アダプタに結合されるべく適合された少なくとも１つのコネクタを含んでいる、通信アセンブリ。
【請求項２】
前記シャーシは、前記アダプタアセンブリのアダプタの前面端部からの光を遮断するための柔軟なシールドを含んでおり、前記シールドは、動作位置と非動作位置の間において移動可能であり、前記シールドは、前記モジュールが前記シャーシ内に摺動自在に挿入された際に、前記モジュールによって前記動作位置から前記非動作位置に移動されるべく構成されている請求項１記載の通信アセンブリ。
【請求項３】
前記モジュールのコネクタは、前記モジュールが前記シャーシ内に挿入された際に、前記シールドに接触し、これを前記動作位置から前記非動作位置に移動させる請求項２記載の通信アセンブリ。
【請求項４】
それぞれの取り付け位置は、前記シャーシ内に前記モジュールを保持するべく前記摺動自在なモジュールとの間にスナップフィット接続を形成する前面留め金を含んでいる請求項１記載の通信アセンブリ。
【請求項５】
前記モジュールは、その内部に取り付けられた後に前記シャーシ内において既定量の水平フローティングを含んでおり、この場合に、前記モジュールは、その内部に取り付けられた後に前記シャーシ内において既定の距離だけ水平に移動可能である請求項１記載の通信アセンブリ。
【請求項６】
それぞれの取り付け位置は、前記シャーシ内において前記アダプタアセンブリを保持するべく前記アダプタアセンブリの取り付け留め具を受け入れるための開口部を有する背面を含む請求項１記載の通信アセンブリ。
【請求項７】
前記アダプタアセンブリは、その内部に取り付けられた後に前記シャーシとの関係において既定量の水平フローティングを含んでおり、この場合に、前記アダプタアセンブリは、その内部に取り付けられた後に前記シャーシとの関係において既定の距離だけ水平に移動可能である請求項６記載の通信アセンブリ。
【請求項８】
前記シャーシは、８個のモジュール及び８個のアダプタアセンブリを収容するべく構成されている請求項１記載の通信アセンブリ。
【請求項９】
複数の一体形成されたアダプタを定義しているハウジングであって、上面、下面、及び前記上面及び前記下面の間において延長する第１及び第２側面を定義しており、前記アダプタアセンブリを一台の通信装置内に摺動自在にガイドするべく前記ハウジングの前記上面に取り付けスライドを含むハウジングを有する光ファイバアダプタアセンブリにおいて、
前記取り付けスライドは、水平ガイド部分及び垂直ガイド部分を含んでおり、前記取り付けスライドは、取り付け留め具を保持するためのフランジを含んでおり、前記取り付け留め具は、前記ハウジングの前面から前記ハウジングの背面に向かう方向において延長しており、前記取り付け留め具は、前記取り付け留め具の長手方向の軸を中心として前記ハウジングとの関係において回転可能であり、且つ、前記ハウジングの前記前面と前記背面の間に延長する方向において前記ハウジングとの関係において移動可能であり、
前記ハウジングのそれぞれのアダプタは、第１光ファイバコネクタを受け入れるための前面開口部と、前記第１光ファイバコネクタとメーティングするべく適合された第２光ファイバコネクタを受け入れるための背面開口部と、フェルールアライメントスリーブ及び内部ハウジング半体を受け入れるための側面開口部を含んでおり、
前記ハウジングは、前記アダプタ内において前記フェルールアライメントスリーブ及び前記内部ハウジング半体を保持するべく前記アダプタの前記側面開口部を閉鎖するパネルを含んでいる、光ファイバアダプタアセンブリ。
【請求項１０】
前記取り付け留め具は、つまみねじである請求項９記載の光ファイバアダプタアセンブリ。
【請求項１１】
前記アダプタアセンブリは、２つの一体形成されたアダプタを含む請求項９記載の光ファイバアダプタアセンブリ。
【請求項１２】
上面、下面、前面開口部、及び背面開口部、及び前記前面及び前記背面開口部の間において延長する第１及び第２側面を有する通信シャーシを使用する方法であって、前記シャーシは、複数の取り付け位置を定義している、方法において、
（ａ）前記取り付け位置の中の１つのものにおいて前記背面開口部を通じて前記シャーシ内に少なくとも１つの光ファイバアダプタを定義するアダプタアセンブリを摺動自在に挿入する段階と、
（ｂ）光ファイバスプリッタ及び少なくとも１つの光ファイバコネクタを含むモジュールを前記取り付け位置の中の１つのものにおいて前記前面開口部を通じて前記シャーシ内に摺動自在に挿入することにより、前記シャーシの前記背面において前記光ファイバコネクタを前記アダプタアセンブリのアダプタに結合させる段階と、
を有する方法。
【請求項１３】
突出するフランジを含む上面及び下面、グリップ表面を含む第１及び第２側面、前面接続面、及び柔軟なブーツを有する背面光ファイバケーブル終端面を有するハウジングを含む光ファイバコネクタと共に使用するグリップ拡張部において、
開放した前面端部、開放した背面端部、上面、下面、及び前記前面及び背面端部の間に延長する第１及び第２側面を含む細長い本体を有しており、
前記第１及び第２側面は、前記前面端部に隣接して２つの対向する柔軟なカンチレバーアームを定義しており、前記上面及び前記下面は、前記前面端部に隣接して２つの対向する柔軟なカンチレバーアームを定義しており、
前記２つのカンチレバーアームは、前記コネクタハウジングの前記側面の前記グリップ表面に係合するための内側に突出するタブを含む前記側面によって定義されており、
前記２つのカンチレバーアームは、前記コネクタハウジングの前記上面及び下面の前記突出フランジを受け入れるためのスロットを含む前記上面及び下面によって定義されており、
前記グリップ拡張部は、前記背面端部に隣接してグリップ表面を含んでおり、この場合に、前記グリップ拡張部は、スナップフィット接続によって前記コネクタハウジングに結合されるべく構成されており、この場合に、前記グリップ拡張部は、前記開放した背面端部を通じて前記コネクタの前記柔軟なブーツを収容するべく構成されている、グリップ拡張部。
【請求項１４】
前記下面は、前記グリップ拡張部が前記コネクタハウジングに結合された際に、前記コネクタの前記ブーツの下方への曲げを収容するための開放部分を含む請求項１３記載のグリップ拡張部。
【請求項１５】
前記前面端部に隣接した前記カンチレバーアームのすべては、外側に曲がって前記コネクタハウジングを受け入れる請求項１３記載のグリップ拡張部。
【請求項１６】
通信アセンブリと共に使用するダストキャップ／試験ツールの組み合わせにおいて、
前面端部、背面端部、上面、下面、及び第１及び第２側面を含む本体であって、前記上面に隣接した長手方向のガイドフランジと前記下面に隣接した長手方向のガイドフランジを定義している本体と、
前記前面端部に隣接して提供された少なくとも１つの光ファイバコネクタホルダと、
前記背面端部に隣接して提供された光ファイバアダプタ内に受け入れられるべく適合された少なくとも１つの光ファイバダストプラグと、
を有しており、
この場合に、前記ダストキャップ／試験ツールの組み合わせは、２つの異なる向きの中の１つにおいて通信シャーシ内に摺動自在に挿入可能であり、この場合に、第１の向きにおいては、前記前面端部が前記シャーシ内に最初に挿入され、且つ、この場合に、第２の向きにおいては、前記背面端部が前記シャーシ内に最初に挿入される、ダストキャップ／試験ツールの組み合わせ。
【請求項１７】
前記本体は、前記前面端部に隣接するフィンガグリップと、前記背面端部に隣接するフィンガグリップを含む請求項１６記載のダストキャップ／試験ツールの組み合わせ。
【請求項１８】
前記本体は、前記前面端部に隣接する前記コネクタホルダから前記背面端部に隣接する前記ダストプラグに向かって延長するケーブル管理構造を定義している請求項１６記載のダストキャップ／試験ツールの組み合わせ。
【請求項１９】
前記本体は、略矩形であり、前記コネクタホルダ及び前記ダストプラグは、前記矩形の本体の対角線のコーナーに配置されている請求項１６記載のダストキャップ／試験ツールの組み合わせ。
【請求項２０】
前記コネクタホルダは、２つの光ファイバコネクタを収容しており、この場合に、前記ダストキャップ／試験ツールは、２つのダストプラグを含む請求項１６記載のダストキャップ／試験ツールの組み合わせ。
【請求項２１】
コネクタは、摺動自在に挿入可能であると共に、前記本体の前記コネクタホルダから着脱自在である請求項１６記載のダストキャップ／試験ツールの組み合わせ。
【請求項２２】
前記ダストプラグは、前記本体と一体形成されている請求項１６記載のダストキャップ／試験ツールの組み合わせ。
【請求項２３】
協働して内部空間を定義している第１側面、前面、背面、上面、及び下面を定義するメインハウジング部分を含むハウジングを有する通信モジュールにおいて、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールは、前記コネクタと前記光学コンポーネントの間において延長するケーブルをガイドするべく前記モジュールの前記内部空間内に配置された第１ケーブル管理構造を含んでおり、
前記モジュールは、前記光学コンポーネントと前記ケーブル出口の間において延長するケーブルをガイドするべく前記モジュールの前記内部空間内に配置された第２ケーブル管理構造を含んでおり、
前記モジュールのハウジングは、前記メインハウジング部分の前記内部空間を閉鎖するべく前記メインハウジング部分に取り付けるためのカバー部分を含んでいる、通信モジュール。
【請求項２４】
前記メインハウジングの前記上面及び下面から延長する取り付けガイドフランジを更に含んでおり、前記上面における前記フランジは、前記下面における前記フランジとは異なるサイズである請求項２３記載の通信モジュール。
【請求項２５】
前記光学コンポーネントは、単一の到来信号を複数の同一の送出信号に分割する光ファイバスプリッタを含む請求項２３記載の通信モジュール。
【請求項２６】
前記メインハウジングの前記背面は、湾曲した部分を含んでおり、この場合に、前記第１ケーブル管理構造は、前記湾曲した部分に隣接して配置されたスプールを含む請求項２３記載の通信モジュール。
【請求項２７】
前記第１側面の内側と前記光学コンポーネントの間に配置されたチャネルを定義する第３ケーブル管理構造を更に含む請求項２３記載の通信モジュール。
【請求項２８】
前記光学コンポーネントは、第３ケーブル管理構造によって前記第１側面の内側からオフセットされている請求項２７記載の通信モジュール。
【請求項２９】
前記ハウジングは、一台の通信装置との間のスナップフィット接続を提供するべく前記メインハウジングの前記前面から延長する柔軟なカンチレバーアームを含む請求項２３記載の通信モジュール。
【請求項３０】
前記背面は、引っ込んだ部分を含んでおり、この場合に、前記コネクタは、前記背面の前記引っ込んだ部分に配置されている請求項２３記載の通信モジュール。
【請求項３１】
前記前面は、前記メインハウジングの前記上面及び下面に対して角度をなして配設されている請求項２３記載の通信モジュール。
【請求項３２】
前記メインハウジングは、前記光学コンポーネントから前記ケーブル出口に向かって延長するケーブルのクリンプされた端部を保持するべく前記ケーブル出口に隣接して配置されたクリンプホルダを含む請求項２３記載の通信モジュール。
【請求項３３】
協働して内部空間を定義している第１側面、前面、背面、上面、及び下面を定義するメインハウジング部分を含むハウジングを有する通信モジュールにおいて、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールの前記ハウジングは、前記メインハウジング部分の前記内部空間を閉鎖するべく前記メインハウジング部分に取り付けるためのカバー部分を含んでおり、
前記モジュールの前記メインハウジング部分は、前記光学コンポーネントから前記ケーブル出口に延長するケーブルのクリンプされた端部を保持するべく前記ケーブル出口に隣接して配置されたクリンプホルダを含んでおり、前記クリンプホルダは、略前記カバーから前記メインハウジング部分の前記第１側面に延長する方向において積層方式においてケーブルのクリンプされた端部を摺動自在に受け入れるべく構成されている、通信モジュール。
【請求項３４】
前記コネクタから前記ケーブル出口に延長するケーブルをガイドするべく前記モジュールの前記内部空間内に配置されたケーブル管理構造を更に含む請求項３３記載の通信モジュール。
【請求項３５】
前記クリンプホルダは、ケーブルのクリンプされた端部を受け入れるためのスロットを定義している請求項３３記載の通信モジュール。
【請求項３６】
前記クリンプホルダは、９個のスロットを定義している請求項３５記載の通信モジュール。
【請求項３７】
それぞれのスロットは、４個のクリンプ要素を収容する請求項３６記載の通信モジュール。
【請求項３８】
前記光学コンポーネントは、単一の到来信号を複数の同一の送出信号に分割する光ファイバスプリッタを含む請求項３３記載の通信モジュール。
【請求項３９】
前記ハウジングは、一台の通信装置との間のスナップフィット接続を提供するべく前記メインハウジングの前記前面から延長する柔軟なカンチレバーアームを含む請求項３３記載の通信モジュール。
【請求項４０】
前記背面は、引っ込んだ部分を含んでおり、前記コネクタは、前記背面の前記引っ込んだ部分に配置されている請求項３３記載の通信モジュール。
【請求項４１】
前記前面は、前記メインハウジングの前記上面及び下面に対して角度をなして配設されている請求項３３記載の通信モジュール。
【請求項４２】
協働して内部空間を定義している第１側面、前面、背面、上面、及び下面を定義するメインハウジング部分を含むハウジングを有する通信モジュールにおいて、
前記メインハウジングは、前記背面から前記モジュールの外部に向かって延長する少なくとも１つの光ファイバコネクタを含んでおり、
前記メインハウジングは、前記モジュールの前記前面から前記モジュールの外部に向かって延長する少なくとも１つのケーブル出口を含んでおり、
前記モジュールは、前記メインハウジングの前記下面に隣接して前記モジュールの前記内部空間内に配置された光学コンポーネントを含んでおり、
前記モジュールの前記ハウジングは、前記メインハウジング部分の前記内部空間を閉鎖するべく前記メインハウジング部分に取り付けるためのカバー部分を含んでおり、
前記モジュールは、通信装置との間のスナップフィットを提供するべく前記メインハウジングの前記前面から前記モジュールの外部に向かって延長する柔軟なカンチレバーアームを含んでおり、前記モジュールは、前記柔軟なカンチレバーアームに隣接して前記メインハウジングの前記前面から前記モジュールの外部に向かって延長する固定されたグリップタブをも含んでいる、通信モジュール。
【請求項４３】
前記カンチレバーアームは、前記モジュールが一台の通信装置内に挿入された際に前記アームを偏向させるための傾斜したタブを含む請求項４２記載の通信モジュール。
【請求項４４】
前記カンチレバーアームは、前記モジュールの前記前面から前記背面に向かう方向において延長する前記モジュールの前記コネクタの線に略沿って位置している請求項４２記載の通信モジュール。
【発明の詳細な説明】
【技術分野】
【０００１】
本発明は、一般に、光ファイバ通信装置に関するものである。更に詳しくは、本発明は、光ファイバモジュール及び光ファイバモジュールを保持するシャーシに関するものである。
【背景技術】
【０００２】
光ファイバ通信システムにおいては、一般に、単一ストランドのケーブルによって搬送される信号を光学的に分割するか又はマルチストランドのケーブルの個々のファイバを分割することにより、伝送ケーブルの光ファイバを複数のストランドに分割している。又、このようなシステムを設置する際には、これらのファイバの将来における成長及び利用をサポートするべく、設備内に余剰の容量を提供することが知られている。しばしば、これらの設備内においては、スプリッタ又はファンアウトを含むモジュールを使用することにより、伝送ファイバと顧客ファイバとの間の接続を提供している。初期の設備におけるコスト及び複雑性を低減すると共に、同時に将来の拡張のための選択肢を提供するべく、複数のモジュールを取り付け可能であるモジュール取り付けシャーシを、このような設備内において使用可能である。
【発明の開示】
【発明が解決しようとする課題】
【０００３】
このシャーシは、いくつかのモジュールを受け入れ可能であるが、初期の設備は、シャーシ内に取り付けられた相対的に少ない数の、即ち、現在のニーズを充足するのに十分な数のモジュールのみを包含可能である。これらのシャーシは、１つ又は複数の面に対する限られたアクセスを有する状態において構成される可能性があり、或いは、閉鎖された場所に取り付けられる可能性もある。更には、これらのシャーシのいくつかは、将来設置されるモジュールを収容すると共にこれらに対してリンクするべく、最大容量の伝送ケーブルを有するように予め構成される場合もある。新しいモジュールを設置する際には、清掃のために、シャーシ内のコンポーネントにアクセス可能であることが望ましい。このため、シャーシのなんらかの設備又は機能により、ユーザーが、これらの予めコネクタが取り付けられていると共に予め設置されている伝送ケーブルのコネクタに対してアクセスし、これらを清掃可能であることが望ましい。
【０００４】
又、予めコネクタが取り付けられていると共に予め設置されている伝送ケーブルとメーティングするために、シャーシ内において、モジュールが、正しく設置されると共に、その他のコンポーネントとアライメントされることを保証するべく、シャーシが構成されていることが望ましい。
【課題を解決するための手段】
【０００５】
本発明は、シャーシと、このシャーシ内に取り付けられた複数のモジュールと、を含む通信アセンブリに関するものである。モジュールは、１つ又は複数の光ファイバコネクタを含んでいる。シャーシの内部空間には、それぞれの取り付け位置に、対応する光ファイバアダプタが配置されている。シャーシの前面開口部を通じて、取り付け位置においてモジュールを挿入することにより、シャーシのアダプタ内への挿入及びこれとのメーティングのために、モジュールの１つ又は複数のコネクタが位置決めされる。シャーシの内部空間内のアダプタは、着脱自在のアダプタアセンブリ内において一体形成されている。
【０００６】
本発明は、シャーシ内において通信モジュールを取り付ける方法にも更に関係している。
【発明を実施するための最良の形態】
【０００７】
本明細書に含まれていると共に、本明細書の一部を構成している添付の図面は、本発明のいくつかの態様を示しており、且つ、詳細な説明と共に、本発明の原理を説明するのに有用である。図面の簡単な説明は、「図面の簡単な説明」の欄に記述されている。
【０００８】
以下、添付の図面に示されている本発明の模範的な態様を詳細に参照することとする。添付の図面の全体を通じて、可能な場合には常に、同一の参照符号を使用して同一又は類似の部分を示すこととする。
【０００９】
図１〜図７は、通信シャーシ１２と、シャーシ１２内に取り付けられるべく適合された複数の光ファイバスプリッタモジュール１４と、を含む通信アセンブリ１０を示している。光ファイバスプリッタモジュール１４は、シャーシ１２内に摺動自在に挿入されると共に、シャーシ１２内に取り付けられているアダプタアセンブリ１６に光学的に結合されるべく構成されている。シャーシ１２内に取り付けられているアダプタアセンブリ１６は、後程詳述するように、到来する光ファイバケーブルの終端に取り付けられたコネクタと、スプリッタモジュール１４のコネクタの間の接続場所を形成している。
【００１０】
更に図１〜図７を参照すれば、シャーシ１２は、対向する側面のペア２２、２４の間に延長する上面１８及び下面２０を含んでいる。シャーシ１２は、シャーシ１２の背面２８を貫通する開口部２６とシャーシ１２の前面３２を貫通する開口部３０を含んでいる。光ファイバスプリッタモジュール１４は、前面開口部３０を通じてシャーシ１２内に挿入されている。アダプタアセンブリ１６は、シャーシ１２の背面開口部２６を通じて挿入され、且つ、これに隣接した状態において取り付けられている。側面２２、２４は、それぞれ、前面開口部３０から背面２８に向かって延長している切り取り部３４を含んでいる。シャーシ１２内に取り付けられているスプリッタモジュール１４は、切り取り部３４を通じて可視状態にある。又、シャーシ１２の側面２２、２４は、シャーシ１２の背面２８において引っ込んだ部分３６を定義することにより、アダプタアセンブリ１６に対するアクセスを円滑にしている。
【００１１】
図１において、シャーシ１２は、その上部に取り付けられた８個の光ファイバスプリッタモジュール１４を有する状態において示されている。その他の実施例においては、シャーシは、更に多くの又は更に少ない数のスプリッタモジュールを保持するべくサイズ設定可能であることに留意されたい。
【００１２】
更に図１〜図７を参照すれば、シャーシ１２は、スプリッタモジュール１４を摺動自在に受け入れる複数の取り付け位置３８を含んでいる。それぞれの取り付け位置３８は、シャーシ１２の上面１８に隣接した状態においてスロット４０及び下面２０に隣接した状態においてスロット４２を定義している。下面２０に隣接しているスロット４２は、図１において可視状態にある。上面１８に隣接しているスロット４０は、図３６及び図３７に示されている。スロット４０、４２は、シャーシ１２の前面３２からシャーシ１２の背面２８に延長している。スロット４０、４２は、図３６及び図３７に示されているように、スプリッタ１４の取り付けフランジ４４、４６を受け入れてモジュール１４をシャーシ内のその他のコンポーネント（例えば、アダプタアセンブリのアダプタ）とアライメントさせることにより、予めコネクタが取り付けられていると共に／又は予め設置されている伝送ケーブルとメーティングするべく構成されている。
【００１３】
シャーシ１２の上面１８の下に定義されているスロット４０は、シャーシ１２の下面２０に定義されているスロット４２よりも深くなっている。スロット４０、４２の深さは、スプリッタモジュール１４の上面及び下面に定義されている異なるサイズのフランジ４４、４６を収容するべく構成されている。この結果、光ファイバスプリッタモジュール１４のスロット４０、４２及び取り付けフランジ４４、４６は、モジュール１４が正しい向きにおいてシャーシ１２内に挿入されることを保証するキーイングシステムを提供している。
【００１４】
シャーシ１２の上面１８の下のスロット４０は、複数のバルクヘッド４８の間に定義されている（図３６及び図３７を参照されたい）。バルクヘッド４８は、シャーシ１２の前面３２からシャーシ１２の背面２８に延長している。シャーシ１２の前面端部３２において、それぞれのバルクヘッド４８は、後程詳述するように、シャーシ１２内の定位置にスプリッタモジュール１４を保持するべく、スプリッタモジュール１４の弾性変形可能なラッチ５２（例えば、カンチレバーアーム）と結合する下向きに延長する前面リップ５０（図３５）を定義している。
【００１５】
図１及び図７を参照すれば、シャーシ１２の背面端部２８において、それぞれのバルクヘッド４８は、アダプタアセンブリ１６をシャーシ１２に取り付けるべく、アダプタアセンブリ１６の留め具５８（例えば、つまみねじ）を受け入れるための留め具ホール５６を有する背面５４を定義している。図示の実施例においては、留め具ホール５６は、ネジタイプの留め具を受け入れるべくねじ山が切られている。その他の実施例においては、その他のタイプの固定構造を使用することにより、アダプタアセンブリ１６をシャーシ１２の背面２８に取り付け可能であることに留意されたい。
【００１６】
背面端部２８に隣接して、それぞれのバルクヘッド４８は、アダプタアセンブリ１６の形状を補完して摺動自在にアダプタアセンブリ１６を受け入れる水平スロット６０及び垂直スロット６２をも含んでいる。
【００１７】
図８〜図１５は、本発明によるアダプタアセンブリ１６を示している。アダプタアセンブリ１６は、到来する光ファイバケーブルの終端に取り付けられたコネクタと、シャーシ１２内に取り付けられているスプリッタモジュール１４のコネクタの間の接続場所を形成している。
【００１８】
図８〜図１５を参照すれば、アダプタアセンブリ１６は、単一のハウジング６６の一部として形成された２つの統合されたアダプタ６４を含んでいる。その他の実施例においては、その他の数のアダプタも可能である。アダプタアセンブリ１６のそれぞれのアダプタ６４は、前面端部６８及び背面端部７０を含んでいる。それぞれのアダプタ６４の前面端部６８は、光ファイバスプリッタモジュール１４のコネクタを受け入れており、背面端部７０は、到来する光ファイバケーブルの終端に取り付けられたコネクタを受け入れている。
【００１９】
アダプタアセンブリハウジング６６は、ハウジング６６の上面７４から延長しているシャーシ−取り付けスライド７２を含んでおり、このシャーシ−取り付けスライドは、背面端部２８を通じてシャーシ１２内に受け入れられている。スライド７２は、水平部分７６及び垂直部分７８を定義している。水平部分７６は、バルクヘッド４８の水平スロット６０内に摺動自在に受け入れられるべく構成されており、垂直部分７８は、バルクヘッド４８の垂直スロット６２内に摺動自在に受け入れられるべく構成されている。
【００２０】
シャーシ−取り付けスライド７２は、アダプタアセンブリ１６をシャーシ１２に固定する留め具５８を支持するフランジのペア８０を含んでいる。前述のように、留め具５８は、シャーシ１２の上面１８の下に配置されているバルクヘッド４８の背面５４によって定義された開口部５６内に配置される。留め具５８は、好ましくは、捕獲型の留め具である。図面に示されているアダプタアセンブリの実施例においては、留め具５８は、つまみねじである。その他の実施例においては、その他のタイプの留め具を使用可能である。
【００２１】
留め具５８を回転させることにより、アダプタアセンブリ１６をバルクヘッド４８にねじ結合させている。又、留め具５８は、その上部に取り付けられた後にシャーシとの関係において既定量の水平フローティングをアダプタアセンブリ１６に提供するように構成されている。図８〜図１４に示されているように、アダプタアセンブリ１６の留め具５８は、フランジ８１を含んでいる。留め具５８は、アダプタアセンブリハウジング６６との関係においてフランジ８０の間において水平に移動可能である。図３５に示されているように、シャーシ１２に取り付けられた後に、アダプタアセンブリハウジング６６は、フランジ８１とバルクヘッド４８の背面の間において、留め具５８との関係においてフローティング又は水平移動可能である。例えば、図３５においては、アダプタアセンブリ１６は、シャーシ１２の背面端部に向かってＡの距離だけ移動又はフローティングできるものとして示されている。この結果、スプリッタモジュール１４が、係合解除の際にシャーシ１２から摺動自在に引き出されるときに、アダプタアセンブリ１６は、スプリッタモジュール１４の係合されたコネクタ１１８がアダプタアセンブリ１６のアダプタ６４を引っ張るのに伴って、スプリッタモジュール１４に向かって距離Ａだけ水平にフローティング可能である。この結果、スプリッタモジュール１４との係合及び係合解除の際に、アダプタアセンブリ１６には、特定量の水平フローティングが提供されている。
【００２２】
図３８のアダプタアセンブリ１６の分解図に示されているように、それぞれのアダプタ６４の要素は、アダプタアセンブリハウジング６６内に形成されたアダプタ凹部８４内に側面開口部８２を通じて配置されている。それぞれのアダプタ６４用の要素は、フェルールアライメントスリーブ８６及び内部ハウジング半体のペア８８を含んでいる。これらの要素は、１９９３年５月２０日付で発行された「ＯＮＥ−ＰＩＥＣＥ  ＳＣ  ＡＤＡＰＴＥＲ」という名称の本出願人の米国特許第５，３１７，６６３号に示されているものに類似した方式により、凹部８４内に配置されており、この開示内容は、本引用により、本明細書に包含される。パネル９０は、開口部８２を閉鎖すると共に、それぞれのアダプタ６４内において要素を固定している。図示のアダプタ６４は、ＳＣスタイルのコネクタ用のものであるが、本開示の範囲内において、その他のタイプ、スタイル、及びフォーマットのアダプタを使用することも可能であり、コネクタをこれらの代替アダプタとメーティング可能である。
【００２３】
図１６〜図１９においては、アダプタアセンブリ１６は、シャーシ１２の外部において、光ファイバスプリッタモジュール１４に取り付けられた状態において示されている。
【００２４】
図２０〜図３０は、本発明による光ファイバスプリッタモジュール１４の中の１つのものを示している。図２０〜図３０を参照すれば、光ファイバスプリッタモジュール１４は、スプリッタモジュールハウジング９２を含んでいる。スプリッタモジュールハウジング９２は、メインハウジング部分９４と、着脱自在のカバー９６を含んでいる。メインハウジング部分９４は、上面１００、下面１０２、背面１０４、及び前面１０６の間に延長する第１側面９８を含んでいる。着脱自在のカバー９６は、スプリッタモジュールハウジング９２の第２側面１０８を定義すると共に、モジュールのメインハウジング９４の開放面を閉鎖している。
【００２５】
カバー９６は、メインハウジング部分９４上に定義されている留め具台１１０を通じて（図示されてはいない）留め具によってメインハウジング部分９４に取り付けられている。カバー９６は、第１側面９８を超えて延長することにより、スプリッタモジュール１４の上部取り付けフランジ４４及び下部取り付けフランジ４６を形成している。図２３、図２５、及び図２６を参照すれば、前述のように、スプリッタモジュールハウジング９２の下部フランジ４６とシャーシ１２上の対応するスロット４２は、上部フランジ４４とシャーシ１２上の対応する上部スロット４０よりもサイズが小さくなっている。下部スロット４２は、下部フランジ４６をスロット４２内に受け入れ可能でありつつ、相対的に大きな上部フランジ４４がフィットしないように、サイズ設定されている。これは、モジュール１４が特定の望ましい向きにおいて前面開口部３０内に配置されることを保証している。類似のフランジは、１９９４年１１月８日付けで発行された「ＦＩＢＥＲ  ＯＰＴＩＣ  ＣＯＮＮＥＣＴＯＲ  ＭＯＤＵＬＥ」という名称の本出願人の米国特許第５，３６３，４６５号に記述されており、この開示内容は、本引用により、本明細書に包含される。この結果、光ファイバモジュール１４は、それぞれの取り付け位置３８においてシャーシ１２の背面２８に隣接した状態で取り付けられたアダプタアセンブリ１６に対して結合されるべく、正しく方向付けされている。
【００２６】
メインハウジング部分９４の背面１０４は、内部空間１１４内においてケーブルに対して曲げ半径保護を提供するべく構成された湾曲部分１１２を含んでいる。又、メインハウジング９２の背面１０４は、引っ込んだ部分１１６をも含んでいる。引っ込んだ部分１１６に配置された光ファイバコネクタのペア１１８は、シャーシ１１２内に取り付けられたアダプタアセンブリ１６の光ファイバアダプタ６４とメーティングするべく、背面１０４から後方に突出している。
【００２７】
図５及び図６に示されているように、モジュールのメインハウジング９４の前面１０６は、シャーシ１２の前面開口部３０との関係において角度を有しており、これは、所望の方向に向かってモジュール１４から出て行くケーブルの方向を支援可能である。その他の実施例においては、前面１０６は、本開示の範囲内において、シャーシ１２の前面３２に対して略平行に製造可能であろう。
【００２８】
それぞれのモジュール１４は、モジュールメインハウジング９４の前面１０６から延長している２つのケーブル出口１２０を含んでいる。図２２に示されているように、ケーブル出口１２０は、モジュール１４のメインハウジング９４に摺動自在に取り付けられていると共に、カバー９６がメインハウジング９４に取り付けられた際にモジュール１４のカバー９６によって捕獲されている。ケーブル出口１２０は、ケーブル出口１２０を収容するべく前面開口部１２６の周りに定義されたスロット１２４内に摺動自在に挿入される突出した背面リップ１２２を定義している。又、カバー９６は、ケーブル出口１２０の背面リップ１２２を受け入れてケーブル出口１２０を捕獲するスリット１２８をも含んでいる。ケーブル出口１２０により、モジュール１４内の通信ケーブルをモジュール１４から外部にガイド可能である。ケーブル出口１２０は、好ましくは、通信アセンブリ１０の密度を保持するべく、図２５に示されているように、光ファイバスプリッタモジュール１４のプロファイル内にフィットするように十分に薄くサイズ設定されている。
【００２９】
メインハウジング９４は、シャーシ１２の一部に係合してシャーシ１２の前面開口部３０内においてモジュール１４を保持するべく適合された一体形成された柔軟なラッチ５２（即ち、カンチレバーアーム）を含んでいる。又、柔軟なラッチ５２は、偏向することにより、シャーシ１２からのモジュール１４の取り外しを可能にしている。
【００３０】
更に図２０〜図３０を参照すれば、モジュール１４のラッチ５２は、フィンガグリップタブ１３０、前面ラッチタブ１３２、及び背面ラッチタブ１３４を含んでいる。前面ラッチタブ１３２及び背面ラッチタブ１３４は、その間に凹部１３６を定義している。背面ラッチタブ１３４は、モジュール１４がシャーシ１２内に挿入される際にラッチ５２を下方に弾性偏向させる傾斜面１３８を含んでいる。又、背面ラッチタブ１３４は、前面ラッチタブ１３２の正方形の面１４２に対向する正方形の面１４０を含んでいる。
【００３１】
シャーシ１２の取り付け位置３８におけるバルクヘッド４８の前面リップ５０は、２つのラッチタブ１３２、１３４の間の凹部１３６内に捕獲されることにより、モジュール１４をシャーシ１２内の定位置に保持している。挿入の際には、バルクヘッド４８の前面リップ５０が、傾斜した背面タブ１３４をクリアした後に、２つのラッチタブ１３２、１３４の間の凹部１３６内に捕獲されるのに伴って、ラッチ５２は、上方に撥ね戻る。ラッチ５２の２つのタブ１３２、１３４の間の凹部１３６は、後程更に詳述するように、シャーシ１２内のスプリッタモジュール１４用の特定量の水平フローティングを実現している。
【００３２】
シャーシ１２からのモジュール１４の除去は、ラッチ５２を押下してリップ５０から背面タブ１３４の正方形の面１４０をクリアすると共に、モジュール１４をシャーシ１２から離れる方向にスライドさせることによって実行される。モジュール１４は、シャーシ１２からのモジュール１４の除去を支援するべく、柔軟なラッチ５２に対向すると共に隣接状態において固定されたグリップタブ１４４を含んでいる。固定されたグリップタブ１４４は、モジュール１４の前面１０６の一部として形成されている。固定されたグリップタブ１４４は、好ましくは、ユーザーが、ラッチ５２及び固定されたグリップタブ１４４に反対の力を印加することにより、モジュール１４を堅固に把持すると共にこれをシャーシ１２から除去できるように、ラッチ５２の反対側においてモジュール１４上に配置されている。固定されたグリップタブ１４４は、好ましくは、ユーザーが手の２本の隣接する指によって力を印加できるように、ラッチ５２に十分に近接した状態においてモジュール１４上に配置されている。
【００３３】
図２２は、光ファイバスプリッタモジュール１４の分解図を示しており、モジュール１４の内部コンポーネントを示している。図２２には、モジュール１４から分解されたアダプタアセンブリ１６と共に、光ファイバスプリッタモジュール１４が示されている。
【００３４】
メインハウジング９４の内部空間１１４内において、スプリッタモジュール１４は、メインハウジング９４の背面１０４の湾曲部分１２２に隣接した状態において第１半径リミッタ１４６を含んでいる。スプリッタモジュール１４は、ケーブル出口１２０の近傍のハウジング９４の前面１０６に隣接した状態において第２半径リミッタ１４８を含んでいる。スプリッタモジュール１４のコネクタ１１８は、背面１０４のアパーチャ１５６内に形成された対向するスロット１５４内に摺動自在に挿入されている。コネクタ１１８は、背面１０４の引っ込んだ部分１１６において背面１０４から外に突出している。コネクタ１１８の外部ハウジング１５０は、コネクタ１１８を収容するアパーチャ１５６内に形成された対向するスロット１５４内に受け入れられる横方向のフランジ１５２を含んでいる。摺動自在に挿入された後に、コネクタ１１８は、カバー９６によってハウジング９２内に捕獲されている。
【００３５】
内部空間１１４内においてメインハウジング９４の下面１０２と隣接しているのは、光ファイバスプリッタ又はファンアウトなどの光学コンポーネント１５８である。光学コンポーネント１５８は、クランプ１６０（即ち、ブラケット）によって下面１０２の内側に保持されている。クランプ１６０は、留め具（図示されてはいない）によってスプリッタモジュールメインハウジング９４上に定義されたクランプ台１６２に取り付けられている。図面に示されているハウジング９４の実施例においては、クランプ台１６２は、取り付けホールの２つのペア１６４、１６６を含んでいる。下面１０２に対して光学コンポーネント１５８を保持するのに使用されるクランプのサイズに応じて、上部のホールの組１６４又は下部のホールの組１６６のいずれかが利用されことになる。異なる光学コンポーネントは、異なる厚さを具備可能であると共に、光学コンポーネントを定位置に保持するべく異なるサイズのクランプの使用を必要とし得ることに留意されたい。特定の実施例においては、互いに上下に積層された２つの光学コンポーネントを使用可能であり、この場合には、相対的に小さなクランプを使用して２つの光学コンポーネントを定位置に保持することになろう。
【００３６】
光学コンポーネント１５８は、ケーブル管理構造の組１６８により、第１側面９８の内側からオフセットされている。図示のモジュール１４の実施例においては、ケーブル管理構造の組１６８は、その間にケーブル管理スリット１７２を定義している細長い構造１７０である。光学コンポーネント１５８が定位置に保持された際に、ケーブルを光学コンポーネント１５８と第１側面９８の内側の間のスリット１７２を通じてルーティング可能である（図２９及び図３０を参照されたい）。
【００３７】
又、スプリッタモジュールのメインハウジング９４は、第２半径リミッタ１４８の下方においてハウジング９４の前面１０５に隣接した状態で一体形成されたクリンプホルダ１７４（例えば、スロット）をも含んでいる。光学コンポーネント１５８によって分割されたケーブルの端部にクリンプされたクリンプ要素１７６が、図２２及び図２９に示されているように、クリンプホルダ１７４内に摺動自在に受け入れられている。クリンプ要素１７６は、その間に凹部１７７が定義されている正方形のフランジ１７５を定義している。クリンプホルダ１７４は、クリンプ要素に対する補完構造を含んでおり、この結果、クリンプ要素１７６がクリンプホルダ１７４内に摺動自在に挿入されたら、フランジ１７５に起因してクリンプ要素１７６が長手方向において移動することが妨げられる。摺動自在に挿入されたら、クリンプ要素１７６は、スプリッタモジュールのメインハウジング９４に対して取り付けられるカバー９６によって定位置に保持されている。図示の実施例においては、９つのクリンプ保持スロット１７４が存在しており、それぞれのものが、最大で４つのクリンプ要素１７６を収容可能である。その他の数も可能である。摺動自在のフィットを提供すると共に、その内部にクリンプホルダを挿入した後のクリンプ要素の軸方向の動きを防止するべく、クリンプ要素とクリンプ保持スロットの間のその他の補完的な形状も可能である。
【００３８】
図２９は、カバー９６を伴うことなしに、光ファイバスプリッタモジュール１４を示しており、光ファイバスプリッタモジュール１４内の光ファイバケーブルのルーティングを含む光ファイバスプリッタモジュール１４の内部空間の特徴が明らかになっている。図３０は、図２９の切断線３０−３０に沿って取得した断面図を示している。
【００３９】
図２９に示されているように、第１ケーブル１７８は、コネクタ１１８から、モジュールハウジング９２内に取り付けられている光学コンポーネント１５８に向かって延長している。前述のように、光学コンポーネント１５８は、スプリッタ又はファンアウト又はその他のタイプの光学コンポーネントであってよい。図示の実施例においては、光学コンポーネント１５８は、単一ストランドの信号を複数の第２信号に分割する光ファイバスプリッタである。別の実施例においては、第１ケーブル１７８は、光ファイバの複数のストランドを有するマルチストランドファイバケーブルであってよく、光学コンポーネントは、個々のストランドを複数の第２ケーブルのそれぞれのものに分離するためのファンアウトであってよい。
【００４０】
第１ケーブル１７８は、光学コンポーネント１５８に向かって延長するのに伴って、光学コンポーネント１５８とモジュールハウジング９４の第１側面９８の内側の間に配置されたスリット１７２を通じて挿入されており（図２２、図２９、及び図３０を参照されたい）、光学コンポーネント１５８によって受け入れられる前に、第１半径リミッタの周り、次いで、第２半径リミッタ１４８の周りにルーピングされている。第２ケーブル１８０は、光学コンポーネント１５８から延長しており、クリンプホルダ１７４に向かう前に、この場合にも、第１半径リミッタ１４６の周りにおいてルーピングされている。クリンプホルダ１７４からは、クリンプ１７６の他端にクリンプされたケーブル（図示されてはいない）が、モジュール出口１２０を通じてモジュールから出ている。
【００４１】
外部ケーブル（図示されてはいない）は、アダプタアセンブリ１６のアダプタ６４の背面端部７０に延長可能であり、且つ、モジュール１４がシャーシ１２内に挿入された後にアダプタ６４を通じてモジュール１４のコネクタ１１８に光学的に接続されるコネクタ（図２９には示されてはいない）によって終端可能である。この図２９及び図３０に示されているモジュール１４内の光ファイバケーブルのルーティングは、一例に過ぎず、このモジュール内においてケーブルをルーティングするその他の方法も可能であることに留意されたい。
【００４２】
図面に示されている光ファイバスプリッタモジュール１４の実施例は、曲げ半径が低減されたファイバを収容できるように構成されている。曲げ半径が低減されたファイバは、約１５ｍｍの曲げ半径を具備可能であるのに対して、曲げ半径が低減されていないファイバは、約３０ｍｍの曲げ半径を具備可能である。
【００４３】
類似の光ファイバスプリッタモジュールについては、本出願人の（２００４年１１月３日付けで出願された「ＦＩＢＥＲ  ＯＰＴＩＣ  ＭＯＤＵＬＥ  ＡＮＤ  ＳＹＳＴＥＭ  ＩＮＣＬＵＤＩＮＧ  ＲＥＡＲ  ＣＯＮＮＥＣＴＯＲ」という名称の）米国特許出願第１０／９８０，９７８号、（２００５年５月２５日付けで出願された「ＦＩＢＥＲ  ＯＰＴＩＣ  ＳＰＬＩＴＴＥＲ  ＭＯＤＵＬＥ」という名称の）第１１／１３８，０６３号、（２００５年５月２５日付けで出願された「ＦＩＢＥＲ  ＯＰＴＩＣ  ＡＤＡＰＴＥＲ  ＭＯＤＥＬ」という名称の）第１１／１３８，８８９号、及び（２００５年８月２９日付けで出願された「ＦＩＢＥＲ  ＯＰＴＩＣ  ＳＰＬＩＴＴＥＲ  ＭＯＤＵＬＥ  ＷＩＴＨ  ＣＯＮＮＥＣＴＯＲ  ＡＣＣＥＳＳ」という名称の）第１１／２１５，８３７号に記述されており、この開示内容は、本引用により、本明細書に包含される。
【００４４】
シャーシ１２内へのスプリッタモジュール１４の挿入は、図３１〜図３５に示されている。図３１〜図３５を参照すれば、シャーシ１２の前面開口部３０内への光ファイバモジュール１２の挿入は、モジュール１４を、シャーシ１２に、並びに、アダプタアセンブリ１６のアダプタ６４にメーティングすることから始まっている。モジュール１４が挿入されるのに伴って、上部フランジ４４が上部スロット４０と係合し、下部フランジ４６がシャーシ１２の下部スロット４２と係合する。
【００４５】
更に図３１〜図３５を参照すれば、シャーシ１２は、それぞれの取り付け位置３８内に柔軟なシールド１８２を含んでいる。シールド１８２は、光に対する偶発的な露出に対する保護を防止するべく適合されている。シールド１８２は、アダプタアセンブリ１６のそれぞれのアダプタ６４の前面端部６８内に配置されている。スプリッタモジュール１４が、関連する取り付け位置３８に配置される前に、アダプタアセンブリ１６のアダプタ６４に接続されているコネクタが取り付けられたケーブルに光が照射されて光信号を伝送している場合に、シールド１８２は、眼やその他の敏感な器官又は近傍の通信装置を損傷しうるこれらの信号に対する偶発的な露出を防止することになる。図３１〜図３３に示されているように、スプリッタモジュール１４を挿入することにより、シールド１８２は排除される。
【００４６】
シールド１８２は、モジュール１４が前面開口部３０を通じて挿入されるのに伴って、モジュール１４によって偏向しており、この結果、モジュール１４のコネクタ１１８は、アダプタアセンブリ１６のアダプタ６４とメーティング可能である。シールド１８２は、好ましくは、モジュール１４が取り付け位置３８から除去された際に元の位置に復帰する弾性変形可能な材料から製造されている。
【００４７】
例えば、図３１においては、光ファイバスプリッタモジュール１４は、スプリッタモジュール１４のコネクタ１１８がシャーシ１２のシールド１８２に接触する前のシャーシ１２内に部分的に挿入された状態において示されている。図３２においては、光ファイバスプリッタモジュール１４は、光ファイバスプリッタモジュール１４のコネクタ１１８がシャーシ１２のシールド１８２と最初に接触してシールド１８２を排除しつつあるシャーシ１２内の位置において示されている（側部断面図が図３４に示されている）。図３３においては、光ファイバスプリッタモジュール１４は、シールド１８２の排除が完了したシャーシ１２内における完全に挿入された位置において示されている（側部断面図が図３５に示されている）。
【００４８】
シールド１８２は、コネクタ１１８がシールド１８２に接触して排除される際に、シールド１８２がスプリッタモジュール１４のコネクタ１１８のフェルール１８４と係合しないように、構成されている。この代わりに、外部コネクタハウジング１５０がシールド１８２を排除している。
【００４９】
シールド１８２は、留め具によってシャーシ１２に接続可能であり、或いは、この代わりに、シールド１８２は、シャーシ１２と一体形成するか又はスポット溶接又はその他の固定法によって取り付けることも可能である。
【００５０】
シールド１８２が完全に偏向するのに伴って、モジュール１４を更に挿入することにより、コネクタ１１８は、アダプタ６４と接触状態となり、コネクタ１１８は、アダプタ６４の前面端部６８内に受け入れられることになる。ラッチ５２は、モジュール１４が挿入されるのに伴って内側に偏向し、次いで、撥ね戻ることにより、バルクヘッド４８の前面リップ５０が凹部１３６内に捕獲されることになる。この段階において、モジュール１４は、モジュールの内部空間１１４内において、信号を処理し、第１ケーブル１７８、光学コンポーネント１５８、及び第２ケーブル１８０を通じて伝送する位置にある。
【００５１】
図３５を参照すれば、前述のように、ラッチ５２の２つのタブ１３２、１３４の間の凹部１３６は、シャーシ１２内においてスプリッタモジュール１４用の特定量の水平フローティングを提供している。バルクヘッド４８の前面リップ５０は、背面タブ１３４の正方形の面１４０と接触する前に、図３５に示されているように、Ｄの距離だけ移動可能である。スプリッタモジュール１４は、スプリッタモジュール１４がシャーシ１２の前面３２から離れる方向に引っ張られた際に背面タブ１３４の正方形の面１４０に接触する前にバルクヘッド４８の前面リップ５０が移動する距離Ｄが、前述のように、アダプタアセンブリ１６用に提供されている水平フローティング（即ち、距離Ａ）未満となるように、構成されている。
【００５２】
この結果、スプリッタモジュール１４は、シャーシ１２の背面２８におけるアダプタアセンブリ１６からモジュールのコネクタ１１８が偶発的に係合解除されることに対する１つの形態の保護を提供している。モジュール１４の凹部１３６のサイズは、アダプタアセンブリ１６をシャーシ１２の前面に向かって十分に引っ張ることによってその水平移動を停止すると共にアダプタ６４からモジュール１４のコネクタ１１８を偶発的に係合解除可能となる前に、スプリッタモジュール１４の水平フローティングが中断されるように、構成されている。
【００５３】
図３６〜図４５は、通信アセンブリ１０のアダプタアセンブリ１６と共に使用するべく構成されたダストキャップ／試験ツール１９０を示している。ダストキャップ／試験ツール１９０は、前面端部１９４及び背面端部１９６を有する本体１９２を含んでいる。ダストキャップ／試験ツール１９０は、前面端部１９４から突出するコネクタのペア１１８を含んでいる。図３９に示されているように、コネクタのペア１１８は、ダストキャップ／試験ツール１９０の本体１９２のコネクタホルダ１９３内に摺動自在に挿入されている。コネクタホルダ１９３は、スプリッタモジュール１４のハウジング９４と同様に、コネクタ１１８の外部ハウジングのフランジを受け入れるためのスロット１９５を含んでいる。又、ダストキャップ／試験ツール１９０は、背面端部１９６から突出するダストプラグのペア１９８をも含んでいる。ダストキャップ／試験ツール１９０は、上面２００及び下面２０２と、第１側面２０４及び第２側面２０６を含んでいる。上面及び下面２００、２０２は、光ファイバスプリッタモジュール１４と同様に、シャーシ１２内への摺動自在の挿入のために、上部及び下部フランジ２０８、２１０をそれぞれ含んでいる。第１側面２０４は、ダストキャップ／試験ツール１９０のコネクタ１１８によって終端されたケーブルをガイドするための半径リミッタ２１２を含んでいる。前面端部１９４には、本体１９２と一体形成された第１グリップ２１４が存在している。ダストキャップ／試験ツール１９０の背面端部１９６には、本体１９２と一体形成された半径リミッタ２１２の端部に定義された第２グリップ２１６が存在している。
【００５４】
図３６及び図３７に示されているように、ダストキャップ／試験ツール１９０は、シャーシ１２内において摺動自在に挿入可能であると共に、２つの異なる方法において使用可能である。図３６においては、ダストキャップ／試験ツール１９０は、アダプタアセンブリ１６に入力された光学信号を試験する試験ツールとして使用される状態において示されている。アダプタアセンブリ１６は、シャーシ１２の背面端部２８に配置されており、且つ、アダプタアセンブリ１６のアダプタ６４の前面端部６８は、背面２８においてシャーシ１２の内部空間内に配置されているため、試験又はその他の目的のために接続に対してアクセスすることが困難である。ダストキャップ／試験ツール１９０の前面端部１９４上のコネクタのペア１１８は、ダストキャップ／試験ツール１９０がシャーシ１２内に摺動自在に挿入された際に、アダプタアセンブリ１６のアダプタ６４に結合するべく設計されている。この結果、シャーシ１２からのアダプタアセンブリ１６の結合解除を要することなしに、且つ、シャーシ１２内への手の挿入を要することなしに、アダプタアセンブリ１６における接続を試験可能である。
【００５５】
又、図３７に示されているように、ダストキャップ／試験ツール１９０は、略１８０°だけ反転させることが可能であると共に、汚染物質からアダプタ６４の内部空間をシーリングするためのダストキャップとして使用可能である。スプリッタモジュール１４がシャーシ１２の取り付け位置３８の中の１つのものの内部に挿入されていない場合には、ダストキャップ／試験ツール１９０がプレースホルダとして機能可能であり、且つ、シャーシ１２内に摺動自在に挿入可能である。ダストプラグ１９８は、アダプタ６４の内部空間のハウジング半体のアーム９１の突出するタブ８９を受け入れるための窪んだ部分１９９を含んでいる。この窪んだ部分１９９は、アダプタ６４内においてダストプラグ１９８を保持するのに有用である。
【００５６】
図３８において、ダストキャップ／試験ツール１９０は、分解されたアダプタアセンブリ１６との組み合わせにおいて示されている。図３９においては、ダストキャップ／試験ツール１９０は、その上部に取り付けられたアダプタアセンブリ１６と共に、且つ、ダストキャップ／試験ツール１９０から分解されたダストキャップ／試験ツール１９０の試験コネクタ１１８の１つと共に、示されている。
【００５７】
図４６〜図５２は、アダプタアセンブリ１６のアダプタ６４の背面７０に結合されたコネクタ１１８と共に使用するべく適合されたグリップ拡張部２１８を示している。グリップ拡張部２１８は、コネクタ１１８の外部ハウジング１５０に長さを追加して通信アセンブリ１０などの高密度の環境において個々のコネクタ１１８に対するアクセスを円滑に実行するべく設計されている。グリップ拡張部は、ケーブルをコネクタ１１８によって終端処理する前に、まず、ケーブル上に取り付けられることが好ましい。コネクタ１１８によってケーブルを終端処理した後に、グリップ拡張部２１８をコネクタのブーツ部分２２０上においてスライドさせ、図７に示されているように、コネクタ１１８の外部ハウジング１５０に取り付ける。
【００５８】
図４６〜図５２を参照すれば、グリップ拡張部２１８は、本体２２２の前面部分２２４から延長する４つのカンチレバーアームを有する細長い本体２２２を含んでいる。対向している２つのカンチレバーアーム２２６、２２８は、コネクタ１１８の外部ハウジング１５０のグリップ表面２３２との係合のための突出タブ２３０を含んでいる。他方の対向している２つのカンチレバーアーム２３４、２３６は、コネクタ外部ハウジング１５０上に定義されたフランジ２４０に係合するためのスリット２３８を含んでいる。４つのカンチレバーアーム２２６、２２８、２３４、２３６により、グリップ拡張部２１８は、コネクタハウジング上にスナップフィットしている。グリップ拡張部の本体２２２の背面部分２４２は、上面２４４、開放した下面２４６、及び前面２２４から背面２４２に向かう方向においてテーパー状になった２つの側面２４８、２５０を含んでいる。上面及び下面２４４、２４６は、グリップ拡張部２１８を引っ張ってコネクタ１１８を円滑に除去するためのグリップ構造２５２を含んでいる。
【００５９】
前述の仕様、例、及びデータは、本発明の製造及び使用に関する完全な説明を提供している。本発明の精神及び範囲を逸脱することなしに、本発明の多くの実施例を実施可能であるため、本発明は、添付の請求項に規定されているとおりである。
【図面の簡単な説明】
【００６０】
【図１】シャーシ内に設置された複数の光ファイバスプリッタモジュールを有する通信アセンブリの背面斜視図であり、アダプタアセンブリの中の１つのものが通信アセンブリから分解された状態にある。
【図２】図１の通信アセンブリの平面図である。
【図３】図１の通信アセンブリの正面図である。
【図４】図１の通信アセンブリの背面図である。
【図５】図１の通信アセンブリの左側面図である。
【図６】図１の通信アセンブリの右側面図である。
【図７】図１の通信アセンブリのクローズアップ図であり、通信アセンブリから分解されたアダプタアセンブリを示している。
【図８】図１のアダプタアセンブリの中の１つのものの正面斜視図である。
【図９】図８のアダプタアセンブリの背面斜視図である。
【図１０】図８のアダプタアセンブリの右側面図である。
【図１１】図８のアダプタアセンブリの左側面図である。
【図１２】図８のアダプタアセンブリの正面図である。
【図１３】図８のアダプタアセンブリの背面図である。
【図１４】図８のアダプタアセンブリの平面図である。
【図１５】図８のアダプタアセンブリの底面図である。
【図１６】図１の光ファイバスプリッタモジュールの中の１つのものの右側面図であり、その上部にアダプタアセンブリが取り付けられた状態において示されている。
【図１７】図１６の光ファイバスプリッタモジュール及びアダプタアセンブリの左側面図である。
【図１８】図１６の光ファイバスプリッタモジュール及びアダプタアセンブリの正面図である。
【図１９】図１６の光ファイバスプリッタモジュール及びアダプタアセンブリの背面図である。
【図２０】図１６の光ファイバスプリッタモジュールの正面斜視図であり、その上部に取り付けられたアダプタアセンブリを伴うことなしに孤立した状態において示されている。
【図２１】図２０の光ファイバスプリッタモジュールの背面斜視図である。
【図２２】図１６の光ファイバスプリッタモジュールの分解図であり、アダプタアセンブリが光ファイバスプリッタモジュールから分解された状態において示されている。
【図２３】図２０の光ファイバスプリッタモジュールの左側面図である。
【図２４】図２０の光ファイバスプリッタモジュールの右側面図である。
【図２５】図２０の光ファイバスプリッタモジュールの正面図である。
【図２６】図２０の光ファイバスプリッタモジュールの背面図である。
【図２７】図２０の光ファイバスプリッタモジュールの平面図である。
【図２８】図２０の光ファイバスプリッタモジュールの底面図である。
【図２９】図２０の光ファイバスプリッタモジュールの右側面図であり、カバーを伴うことなしに示されており、光ファイバスプリッタモジュール内の光ファイバケーブルのルーティングを含む光ファイバスプリッタモジュールの内部空間の特徴が明らかになっている。
【図３０】図２９の切断線３０−３０に沿って取得した断面図である。
【図３１】図１のシャーシ内に部分的に挿入された光ファイバスプリッタモジュールを示しており、シャーシは、その上部に取り付けられたアダプタアセンブリを含んでおり、光ファイバスプリッタモジュールは、スプリッタモジュールのコネクタがシャーシ内に配置されたシールドと接触する前の位置内において示されている。
【図３２】図３１の光ファイバスプリッタモジュールを示しており、光ファイバスプリッタモジュールのコネクタがシャーシ内に配置されたシールドと初めて接触する状態におけるシャーシ内の位置において示されている。
【図３３】図３１の光ファイバスプリッタモジュールを示しており、シャーシ内において完全に挿入された位置において示されている。
【図３４】光ファイバスプリッタモジュールの中心を通じて取得したシャーシ内における図３２の光ファイバスプリッタモジュールの側面断面図である。
【図３５】光ファイバスプリッタモジュールの中心を通じて取得したシャーシ内における図３３の光ファイバスプリッタモジュールの側面断面図である。
【図３６】その上部に取り付けられた光ファイバスプリッタモジュールを有する図１のシャーシの正面斜視図を示しており、シャーシから分解されたダストキャップ／試験ツールとの組み合わせにおいて示されており、このダストキャップ／試験ツールは、試験ツールとして使用されている。
【図３７】図３６のシャーシの正面斜視図を示しており、シャーシから分解されたダストキャップ／試験ツールとの組み合わせにおいて示されており、このダストキャップ／試験ツールは、ダストキャップとして使用されている。
【図３８】図３６のダストキャップ／試験ツールを示しており、図８のアダプタアセンブリの分解図との組み合わせにおいて示されている。
【図３９】図３６のダストキャップ／試験ツールの正面斜視図であり、その上部に取り付けられたアダプタアセンブリを有する状態において、且つ、ダストキャップ／試験ツールから分解されたダストキャップ／試験ツールの試験コネクタの中の１つのものを有する状態において、示されている。
【図４０】図３６のダストキャップ／試験ツールの背面斜視図であり、ダストキャップ／試験ツールの試験コネクタを伴わない状態において示されている。
【図４１】図４０のダストキャップ／試験ツールの正面斜視図である。
【図４２】図４０のダストキャップ／試験ツールの右側面図である。
【図４３】図４０のダストキャップ／試験ツールの左側面図である。
【図４４】図４０のダストキャップ／試験ツールの背面図である。
【図４５】図４０のダストキャップ／試験ツールの平面図である。
【図４６】本発明によるグリップ拡張部の底面正面斜視図である。
【図４７】図４６のグリップ拡張部の底面背面斜視図である。
【図４８】図４６のグリップ拡張部の底面図である。
【図４９】図４６のグリップ拡張部の平面図である。
【図５０】図４６のグリップ拡張部の右側面図である。
【図５１】図４６のグリップ拡張部の左側面図である。
【図５２】図４６のグリップ拡張部の背面図である。
【図１】
2009527004.tif 000003
【図２】
2009527004.tif 000004
【図３】
2009527004.tif 000005
【図４】
2009527004.tif 000006
【図５】
2009527004.tif 000007
【図６】
2009527004.tif 000008
【図７】
2009527004.tif 000009
【図８】
2009527004.tif 000010
【図９】
2009527004.tif 000011
【図１０】
2009527004.tif 000012
【図１１】
2009527004.tif 000013
【図１２】
2009527004.tif 000014
【図１３】
2009527004.tif 000015
【図１４】
2009527004.tif 000016
【図１５】
2009527004.tif 000017
【図１６】
2009527004.tif 000018
【図１７】
2009527004.tif 000019
【図１８】
2009527004.tif 000020
【図１９】
2009527004.tif 000021
【図２０】
2009527004.tif 000022
【図２１】
2009527004.tif 000023
【図２２】
2009527004.tif 000024
【図２３】
2009527004.tif 000025
【図２４】
2009527004.tif 000026
【図２５】
2009527004.tif 000027
【図２６】
2009527004.tif 000028
【図２７】
2009527004.tif 000029
【図２８】
2009527004.tif 000030
【図２９】
2009527004.tif 000031
【図３０】
2009527004.tif 000032
【図３１】
2009527004.tif 000033
【図３２】
2009527004.tif 000034
【図３３】
2009527004.tif 000035
【図３４】
2009527004.tif 000036
【図３５】
2009527004.tif 000037
【図３６】
2009527004.tif 000038
【図３７】
2009527004.tif 000039
【図３８】
2009527004.tif 000040
【図３９】
2009527004.tif 000041
【図４０】
2009527004.tif 000042
【図４１】
2009527004.tif 000043
【図４２】
2009527004.tif 000044
【図４３】
2009527004.tif 000045
【図４４】
2009527004.tif 000046
【図４５】
2009527004.tif 000047
【図４６】
2009527004.tif 000048
【図４７】
2009527004.tif 000049
【図４８】
2009527004.tif 000050
【図４９】
2009527004.tif 000051
【図５０】
2009527004.tif 000052
【図５１】
2009527004.tif 000053
【図５２】
2009527004.tif 000054
【国際調査報告】
2009527004.tif 000055
2009527004.tif 000056
2009527004.tif 000057
2009527004.tif 000058
2009527004.tif 000059